(57)【特許請求の範囲】
【請求項１】
ステージに載置された標本に前記ステージの下方から落射照明光を照射する落射蛍光照明光学系と、
前記ステージに載置された前記標本に前記ステージの上方から透過照明光を照射する透過照明光学系と、
前記ステージの下方に配置されてなり、前記落射照明光を前記標本に集光する対物レンズと、
前記ステージと前記透過照明光学系との間に当該倒立顕微鏡の観察光軸に挿脱自在に配置されてなる遮光部であって、前記対物レンズに該対物レンズの開口角以下の角度で入射可能な全ての直接光を遮光する遮光位置に前記ステージと非接触状態で配置可能な遮光部と、
を備え、
前記遮光部は、
当該倒立顕微鏡の前記観察光軸に沿った方向に移動可能であり、
当該遮光部が移動可能な範囲において当該遮光部を位置決めする第二の位置決め部を有し、
当該遮光部が移動可能な範囲の少なくとも一部で、前記遮光位置に配置可能であることを特徴とする倒立顕微鏡。
【請求項２】
前記遮光部は、前記遮光位置と、前記遮光部の全体が前記透過照明光学系から照射される前記透過照明光が通過する領域の外側まで退避する退避位置と、の間を移動可能であることを特徴とする請求項１に記載の倒立顕微鏡。
【請求項３】
前記遮光部は、当該遮光部を前記遮光位置及び前記退避位置に位置決めする第一の位置決め部を有することを特徴とする請求項２に記載の倒立顕微鏡。
【請求項４】
前記遮光部は、円盤状をなし、該円盤の主面が当該倒立顕微鏡の前記観察光軸に直交するように配置されており、
前記遮光部の最小半径Ｒは、前記対物レンズの前記開口角をθ、前記対物レンズの口径半径をｒ、前記遮光位置における前記遮光部と前記対物レンズとの当該倒立顕微鏡の前記観察光軸に沿った方向における距離をｓ、とすると、Ｒ≧ｒ＋ｓｔａｎθを満たすことを特徴とする請求項１〜３のいずれか１つに記載の倒立顕微鏡。
【請求項５】
前記透過照明光学系は、励起光を発する固体発光素子と、該固体発光素子から照射される励起光によって蛍光を発する蛍光体と、を有する光源を含むことを特徴とする請求項１〜４のいずれか１つに記載の倒立顕微鏡。
【請求項６】
前記光源は、蛍光体を有する白色ＬＥＤであることを特徴とする請求項５に記載の倒立顕微鏡。
【請求項７】
前記遮光部は、当該倒立顕微鏡に対して固定部材を介して着脱自在に固定されることを特徴とする請求項１〜６のいずれか１つに記載の倒立顕微鏡。
【請求項８】
前記遮光部は、前記観察光軸から挿抜する操作時に持ち手となる突起部を有することを
特徴とする請求項１〜７のいずれか１つに記載の倒立顕微鏡。
【請求項９】
ステージに載置された標本に前記ステージの下方から落射照明光を照射する落射蛍光照明光学系と、
前記ステージに載置された前記標本に前記ステージの上方から透過照明光を照射する透過照明光学系と、
前記ステージの下方に配置されてなり、前記落射照明光を前記標本に集光する対物レンズと、
を備える倒立顕微鏡に取り付けられる倒立顕微鏡用遮光装置であって、
前記ステージと前記透過照明光学系との間に当該倒立顕微鏡の観察光軸に挿脱自在に配置されてなる遮光部であって、前記対物レンズに該対物レンズの開口角以下の角度で入射可能な全ての直接光を遮光する遮光位置に前記ステージと非接触状態で配置可能な遮光部を有し、
前記遮光部は、
当該倒立顕微鏡の前記観察光軸に沿った方向に移動可能であり、
当該遮光部が移動可能な範囲において当該遮光部を位置決めする第二の位置決め部を有し、
当該遮光部が移動可能な範囲の少なくとも一部で、前記遮光位置に配置可能であることを特徴とする倒立顕微鏡用遮光装置。
【請求項１０】
前記遮光部は、当該遮光部を、前記遮光位置と、前記遮光部の全体が前記透過照明光学系から照射される前記透過照明光が通過する領域の外側まで退避する退避位置と、に位置決めする第一の位置決め部を有することを特徴とする請求項９に記載の倒立顕微鏡用遮光装置。
【請求項１１】
ステージに載置された標本に前記ステージの下方から落射照明光を照射する落射蛍光照明光学系と、
前記ステージに載置された前記標本に前記ステージの上方から蛍光体を有する白色ＬＥＤによる透過照明光を照射する透過照明光学系と、
前記ステージの下方に配置されてなり、前記落射照明光を前記標本に集光する対物レンズと、
前記ステージと前記透過照明光学系との間に当該倒立顕微鏡の観察光軸に前記ステージに非接触状態で挿脱自在に配置されてなる遮光部と、を備え、
前記遮光部は、
主面が板状の形状をなし、前記主面が当該倒立顕微鏡の前記観察光軸に直交するように配置されており、
当該遮光部を、前記対物レンズに上方から入射する光を遮光する遮光位置と前記遮光部の全体が前記透過照明光学系から照射される前記透過照明光が通過する領域の外側まで退避する退避位置とに位置決めする第一の位置決め部を有し、
前記遮光部が前記退避位置に位置決めされている状態において、前記ステージに載置された前記標本が目視可能であり、
前記遮光位置に位置する前記遮光部における前記観察光軸の中心位置から、前記遮光部の端部までの最小の距離Ｒは、前記対物レンズの開口角をθ、前記対物レンズの口径半径をｒ、前記遮光部と前記対物レンズとの当該倒立顕微鏡の前記観察光軸に沿った方向における距離をｓ、とすると、Ｒ≧ｒ＋ｓｔａｎθを満たすことを特徴とする倒立顕微鏡。
【請求項１２】
前記遮光部は、当該倒立顕微鏡に対して固定部材を介して着脱自在に固定されることを特徴とする請求項１１に記載の倒立顕微鏡。
【請求項１３】
前記遮光部は、前記観察光軸から挿抜する操作時に持ち手となる突起部を有することを特徴とする請求項１１又は１２に記載の倒立顕微鏡。
【発明の詳細な説明】
【技術分野】
【０００１】
本発明は、倒立顕微鏡及び倒立顕微鏡用遮光装置に関する。
【背景技術】
【０００２】
従来、落射蛍光照明光学系からの励起光を対物レンズで標本に照射し、標本の蛍光像を観察する蛍光顕微鏡が知られている。標本に励起光を照射すると、標本を構成する物質が励起し、励起光よりも波長が長い蛍光を発光する。蛍光顕微鏡では、この蛍光を対物レンズ等で結像させて観察を行う。
【０００３】
ここで、蛍光は微弱な光であるため、蛍光像のＳＮ比を向上させるには蛍光以外の外乱光（例えば室内の照明光等）が対物レンズに入射しないことが好ましい。例えば、特許文献１では、ステージ上の標本全体を蓋で覆うことにより外乱光を遮断している。
【先行技術文献】
【特許文献】
【０００４】
【特許文献１】特開２００３−１８５９３２号公報
【発明の概要】
【発明が解決しようとする課題】
【０００５】
しかしながら、特許文献１の構成では、蓋が標本全体を覆ってしまうため、標本を交換する際に、その都度蓋を取り除く必要があり操作性が悪い。さらに、この構成では、蓋に覆われることにより標本を目視観察することできないため、標本を目視しながら操作することができず、この意味でも操作性が悪い。また、この構成では、メカニカルステージなどを用いて標本を動かす際に、蓋の大きさにより可動範囲が制限されてしまう場合があり、操作性が劣化する。
【０００６】
本発明は、上記に鑑みてなされたものであって、操作性を損なうことなく、外乱光を遮光する倒立顕微鏡及び倒立顕微鏡用遮光装置を提供することを目的とする。
【課題を解決するための手段】
【０００７】
上述した課題を解決し、目的を達成するために、本発明の一態様に係る倒立顕微鏡は、ステージに載置された標本に前記ステージの下方から落射照明光を照射する落射蛍光照明光学系と、前記ステージに載置された前記標本に前記ステージの上方から透過照明光を照射する透過照明光学系と、前記ステージの下方に配置されてなり、前記落射照明光を前記標本に集光する対物レンズと、前記ステージと前記透過照明光学系との間に当該倒立顕微鏡の観察光軸に挿脱自在に配置されてなる遮光部であって、前記対物レンズに該対物レンズの開口角以下の角度で入射可能な全ての直接光を遮光する遮光位置に前記ステージと非接触状態で配置可能な遮光部と、を備え、前記遮光部は、当該倒立顕微鏡の前記観察光軸に沿った方向に移動可能であり、当該遮光部が移動可能な範囲において当該遮光部を位置決めする第二の位置決め部を有し、当該遮光部が移動可能な範囲の少なくとも一部で、前記遮光位置に配置可能であることを特徴とする。
【０００８】
また、本発明の一態様に係る倒立顕微鏡は、前記遮光部は、前記遮光位置と、前記遮光部の全体が前記透過照明光学系から照射される前記透過照明光が通過する領域の外側まで退避する退避位置と、の間を移動可能であることを特徴とする。
また、本発明の一態様に係る倒立顕微鏡は、前記遮光部は、当該遮光部を前記遮光位置及び前記退避位置に位置決めする第一の位置決め部を有することを特徴とする。
【００１０】
また、本発明の一態様に係る倒立顕微鏡は、前記遮光部は、円盤状をなし、該円盤の主面が当該倒立顕微鏡の前記観察光軸に直交するように配置されており、前記遮光部の最小半径Ｒは、前記対物レンズの前記開口角をθ、前記対物レンズの口径半径をｒ、前記遮光位置における前記遮光部と前記対物レンズとの当該倒立顕微鏡の前記観察光軸に沿った方向における距離をｓ、とすると、Ｒ≧ｒ＋ｓｔａｎθを満たすことを特徴とする。
【００１１】
また、本発明の一態様に係る倒立顕微鏡は、前記透過照明光学系は、励起光を発する固体発光素子と、該固体発光素子から照射される励起光によって蛍光を発する蛍光体と、を有する光源を含むことを特徴とする。
また、本発明の一態様に係る倒立顕微鏡は、前記光源は、蛍光体を有する白色ＬＥＤであることを特徴とする。
また、本発明の一態様に係る倒立顕微鏡は、前記遮光部は、当該倒立顕微鏡に対して固定部材を介して着脱自在に固定されることを特徴とする。
また、本発明の一態様に係る倒立顕微鏡は、前記遮光部は、前記観察光軸から挿抜する操作時に持ち手となる突起部を有することを特徴とする。
【００１２】
また、本発明の一態様に係る倒立顕微鏡用遮光装置は、ステージに載置された標本に前記ステージの下方から落射照明光を照射する落射蛍光照明光学系と、前記ステージに載置された前記標本に前記ステージの上方から透過照明光を照射する透過照明光学系と、前記ステージの下方に配置されてなり、前記落射照明光を前記標本に集光する対物レンズと、を備える倒立顕微鏡に取り付けられる倒立顕微鏡用遮光装置であって、前記ステージと前記透過照明光学系との間に当該倒立顕微鏡の観察光軸に挿脱自在に配置されてなる遮光部であって、前記対物レンズに該対物レンズの開口角以下の角度で入射可能な全ての直接光を遮光する遮光位置に前記ステージと非接触状態で配置可能な遮光部を有し、前記遮光部は、当該倒立顕微鏡の前記観察光軸に沿った方向に移動可能であり、当該遮光部が移動可能な範囲において当該遮光部を位置決めする第二の位置決め部を有し、当該遮光部が移動可能な範囲の少なくとも一部で、前記遮光位置に配置可能であることを特徴とする。
また、本発明の一態様に係る倒立顕微鏡用遮光装置は、前記遮光部は、当該遮光部を、前記遮光位置と、前記遮光部の全体が前記透過照明光学系から照射される前記透過照明光が通過する領域の外側まで退避する退避位置と、に位置決めする第一の位置決め部を有することを特徴とする。
また、本発明の一態様に係る倒立顕微鏡は、ステージに載置された標本に前記ステージの下方から落射照明光を照射する落射蛍光照明光学系と、前記ステージに載置された前記標本に前記ステージの上方から蛍光体を有する白色ＬＥＤによる透過照明光を照射する透過照明光学系と、前記ステージの下方に配置されてなり、前記落射照明光を前記標本に集光する対物レンズと、前記ステージと前記透過照明光学系との間に当該倒立顕微鏡の観察光軸に前記ステージに非接触状態で挿脱自在に配置されてなる遮光部と、を備え、前記遮光部は、主面が板状の形状をなし、前記主面が当該倒立顕微鏡の前記観察光軸に直交するように配置されており、当該遮光部を、前記対物レンズに上方から入射する光を遮光する遮光位置と前記遮光部の全体が前記透過照明光学系から照射される前記透過照明光が通過する領域の外側まで退避する退避位置とに位置決めする第一の位置決め部を有し、前記遮光部が前記退避位置に位置決めされている状態において、前記ステージに載置された前記標本が目視可能であり、前記遮光位置に位置する前記遮光部における前記観察光軸の中心位置から、前記遮光部の端部までの最小の距離Ｒは、前記対物レンズの開口角をθ、前記対物レンズの口径半径をｒ、前記遮光部と前記対物レンズとの当該倒立顕微鏡の前記観察光軸に沿った方向における距離をｓ、とすると、Ｒ≧ｒ＋ｓｔａｎθを満たすことを特徴とする。
また、本発明の一態様に係る倒立顕微鏡は、前記遮光部は、当該倒立顕微鏡に対して固定部材を介して着脱自在に固定されることを特徴とする。
また、本発明の一態様に係る倒立顕微鏡は、前記遮光部は、前記観察光軸から挿抜する操作時に持ち手となる突起部を有することを特徴とする。
【発明の効果】
【００１３】
本発明によれば、操作性を損なうことなく、外乱光を遮光する倒立顕微鏡及び倒立顕微鏡用遮光装置を実現することができる。
【図面の簡単な説明】
【００１４】
【図１】図１は、本発明の実施の形態１に係る倒立顕微鏡の構成を示す模式図である。
【図２】図２は、図１に示す遮光装置の拡大図である。
【図３】図３は、図２のＡ矢視図である。
【図４】図４は、対物レンズと遮光部の大きさとの関係を説明するための図である。
【図５】図５は、図２において遮光板を回転させた様子を表す図である。
【図６】図６は、図３において遮光板を回転させた様子を表す図である。
【図７】図７は、実施の形態１の変形例に係る倒立顕微鏡の構成を示す模式図である。
【図８】図８は、図７に示す遮光装置の拡大図である。
【図９】図９は、本発明の実施の形態２に係る倒立顕微鏡の構成を示す模式図である。
【図１０】図１０は、図９に示す遮光装置の拡大図である。
【図１１】図１１は、図１０のＢ矢視図である。
【図１２】図１２は、図１０において遮光板を回転させた様子を表す図である。
【図１３】図１３は、図１１において遮光板を回転させた様子を表す図である。
【発明を実施するための形態】
【００１５】
以下に、図面を参照して本発明に係る倒立顕微鏡及び倒立顕微鏡用遮光装置の実施の形態を説明する。なお、これらの実施の形態により本発明が限定されるものではない。本発明は、落射蛍光照明光学系及び透過照明光学系を有し、蛍光観察を行う倒立顕微鏡及び倒立顕微鏡用遮光装置の一般に適用することができる。
【００１６】
また、図面の記載において、同一又は対応する要素には適宜同一の符号を付している。また、図面は模式的なものであり、各要素の寸法の関係、各要素の比率などは、現実と異なる場合があることに留意する必要がある。図面の相互間においても、互いの寸法の関係や比率が異なる部分が含まれている場合がある。
【００１７】
（実施の形態１）
図１は、本発明の実施の形態１に係る倒立顕微鏡の構成を示す模式図である。図１に示すように、実施の形態１に係る倒立顕微鏡である顕微鏡１００は、顕微鏡１００の土台をなす顕微鏡本体１０１と、標本Ｓを載置するステージ１０２と、ステージ１０２に載置された標本Ｓにステージ１０２の下方から落射照明光を照射する落射蛍光照明光学系である第１光源ユニット１０３と、ステージ１０２に載置された標本Ｓにステージ１０２の上方から透過照明光を照射する透過照明光学系である第２光源ユニット１０４と、第２光源ユニット１０４を保持するアーム１０５と、ステージ１０２の下方に配置され、落射照明光を標本Ｓに集光する倍率の異なる複数の対物レンズ１０６と、複数の対物レンズ１０６を標本Ｓに対して交換可能に保持するレボルバ１０７と、対物レンズ１０６及びレボルバ１０７を上下動させる焦準ハンドル１０８と、落射照明光、及び標本Ｓが反射もしくは標本Ｓを透過した光の光路を切り替えるミラーユニット１０９と、ミラーユニット１０９からの光を所定の方向に反射するミラー１１０と、標本Ｓを目視で観察するための接眼部１１１と、標本Ｓを撮像するための撮像部１１２と、を備える。顕微鏡１００の各光学素子は、顕微鏡１００の観察光軸Ｏに沿って、標本Ｓの観察を行うための適切な位置に配置されている。
【００１８】
ステージ１０２上には、不図示のメカニカルステージが取り付けられ、メカニカルステージに載置された標本Ｓの位置合わせを行うことができる。
【００１９】
第１光源ユニット１０３は、光源１０３ａを含む。
【００２０】
第２光源ユニット１０４は、光源１０４ａと、光源１０４ａからの光を略平行光に変換するコレクタレンズ１０４ｂと、コレクタレンズ１０４ｂからの略平行な光を標本Ｓに集光するコンデンサレンズ１０４ｃと、を含む。
【００２１】
光源１０４ａは、励起光を発する固体発光素子と、その固体発光素子から照射される励起光によって蛍光を発する蛍光体と、を有する。固体発光素子が励起光を発すると、励起光と蛍光体から生じた蛍光との混合光が、光源１０４ａから出射される。光源１０４ａは、例えば、白色ＬＥＤ（Ｌｉｇｈｔ  Ｅｍｉｔｔｉｎｇ  Ｄｉｏｄｅ）であり、単色のＬＥＤチップである固体発光素子と、その単色のＬＥＤチップからの励起光を照射されて白色の蛍光を発する蛍光体と、を有する。
【００２２】
ミラーユニット１０９は、例えば、励起フィルタ１０９ａと、ダイクロイックミラー１０９ｂと、バリアフィルタ１０９ｃと、を含む蛍光ミラーユニットであり、必要に応じて他のミラーユニットと交換することができる。励起フィルタ１０９ａは、光源１０３ａから出射された出射光から励起波長に対応した光を抽出する。ダイクロイックミラー１０９ｂは、光源１０３ａから出射された光のうち、所定波長の光を反射するとともに、標本Ｓが発した光のうち、所定波長の光を透過する。バリアフィルタ１０９ｃは、標本Ｓが発した光のうちダイクロイックミラー１０９ｂを透過した光から、さらに所定の波長の光を抽出する。
【００２３】
次に、本実施の形態１に係る倒立顕微鏡用遮光装置である遮光装置１について詳細に説明する。図１に示すように、遮光装置１は、ステージ１０２と第２光源ユニット１０４との間に配置される。
【００２４】
図２は、図１に示す遮光装置の拡大図である。図３は、図２のＡ矢視図である。遮光装置１は、円盤状をなし円盤の主面が顕微鏡１００の観察光軸Ｏに直交するように配置される遮光板２と、遮光板２を回転可能に保持する軸３と、軸３を保持するホルダ４と、ホルダ４を貫通するように取り付けられたボールプランジャー５と、ホルダ４を顕微鏡１００の観察光軸Ｏに沿って移動可能に保持するとともに顕微鏡１００の第２光源ユニット１０４の下方に固定されるガイド６と、ホルダ４をガイド６に固定するつまみ７と、を備える。ただし、後述するように遮光装置１の遮光板２は、顕微鏡１００の観察光軸Ｏに挿脱自在に配置されている。
【００２５】
遮光板２は、顕微鏡１００の観察光軸Ｏに直交するように配置される円盤状の遮光部２ａと、遮光部２ａと直交する方向に遮光部２ａの側方から延在するアーム部２ｂと、後述する遮光板２を観察光軸Ｏから挿抜する操作時に持ち手となる突起部２ｃと、を有する。さらに、アーム部２ｂには、遮光板２を位置決めするためのクリック溝２ｂａ及びクリック溝２ｂｂが形成されている。図４は、対物レンズと遮光部の大きさとの関係を説明するための図である。図４に示すように、遮光部２ａの半径Ｒは、対物レンズ１０６の開口角をθ、対物レンズ１０６の口径半径をｒ、遮光部２ａと対物レンズ１０６との顕微鏡１００の観察光軸Ｏに沿った方向における距離をｓ、とすると、Ｒ≧ｒ＋ｓｔａｎθを満たす。図４はこの式で等号が成立している状態を表し、遮光部２ａの半径Ｒは図４に示す半径Ｒより大きくされていればよい。このように、遮光部２ａは、対物レンズ１０６にこの対物レンズ１０６の開口角θ以下の角度で入射可能な全ての直接光（すなわち、回折光を除く、直進して対物レンズ１０６に直接入射する光）を遮光する遮光位置に配置可能である。なお、開口角θは、対物レンズ１０６に入る直接光のうち一番外側から入射する光の角度である。クリック溝２ｂａ及びクリック溝２ｂｂは、軸３を中心に９０°をなす方向に形成されている。
【００２６】
軸３は、ホルダ４に取り付けられ、遮光板２を回転可能に保持する。
【００２７】
ホルダ４は、ガイド６に固定可能であるとともに、ガイド６に沿って顕微鏡１００の観察光軸Ｏに沿った方向に移動可能である。
【００２８】
ボールプランジャー５は、内部に収容された不図示のバネが先端（図３の紙面手前側）に配置されたボール５ａを付勢し、ボール５ａをホルダ４から突出させる。ボール５ａは、クリック溝２ｂａ又はクリック溝２ｂｂに嵌まることによって遮光板２の位置決めを行うとともに操作時のクリック感を付与する。
【００２９】
ガイド６は、棒状をなし、一端に設けられたネジ６ａと、他端に設けられたストッパ６ｂと、長手方向と直交する方向に貫通する孔６ｃと、を有する。ネジ６ａは、顕微鏡１００の第２光源ユニット１０４の下方に設けられた不図示のネジ穴に螺合される。このとき、孔６ｃに棒状の部材を挿入してガイド６を回転させることでネジ６ａを顕微鏡１００の第２光源ユニット１０４に固く締結することができる。ストッパ６ｂは、ホルダ４がガイド６から脱落することを防止する。
【００３０】
つまみ７は、ホルダ４に取り付けられており、つまみ７を締めるとホルダ４がガイド６に固定される。一方、つまみ７を緩めると、ホルダ４を含む部分がガイド６に沿って移動可能となる。遮光板２の遮光部２ａは、遮光部２ａが移動可能な範囲の少なくとも一部で、対物レンズ１０６にこの対物レンズ１０６の開口角θ以下の角度で入射する全ての直接光を遮光する。
【００３１】
次に、遮光装置１の遮光部２ａを顕微鏡１００の観察光軸Ｏから退避させる動作について説明する。まず、図２及び図３において、遮光部２ａは、対物レンズ１０６にこの対物レンズ１０６の開口角θ以下の角度で入射可能な全ての直接光を遮光する遮光位置にある。遮光位置において、ボールプランジャー５のボール５ａは、遮光板２のクリック溝２ｂａに嵌まっている。
【００３２】
図５、図６は、図２、図３において、それぞれ遮光板を回転させた様子を表す図である。遮光位置にある遮光板２の突起部２ｃを持ち、図５及び図６の矢印に沿った方向の力を加えると、ボールプランジャー５のボール５ａが遮光板２のクリック溝２ｂａから離脱し、遮光板２が軸３を中心に回転する。そして、遮光板２が９０°回転すると、ボールプランジャー５のボール５ａが遮光板２のクリック溝２ｂｂに嵌まる。このとき、遮光部２ａは、遮光部２ａの全体が第２光源ユニット１０４から照射される透過照明光が通過する領域の外側まで退避する退避位置にある。その結果、透過照明観察時にこの遮光装置１により透過照明光が遮光されることはない。
【００３３】
以上説明したように、遮光装置１は、遮光部２ａが遮光位置に配置された状態において、対物レンズ１０６にこの対物レンズ１０６の開口角θ以下の角度で入射可能な全ての直接光を遮光する。例えば、蛍光の細胞発現を確認する用途では、標本Ｓの全体を覆う必要はなく、遮光部２ａの上方から対物レンズ１０６に入射する外乱光を遮光できれば十分効果を得ることができる。また、遮光装置１は、標本Ｓを覆う構成ではないから、標本Ｓを交換又は操作する際の操作性が劣化することがなく、標本Ｓの目視観察を妨げることもない。また、遮光装置１は、顕微鏡１００の第２光源ユニット１０４に取り付けられているから、ステージ１０２上のメカニカルステージの動きを阻害することもない。さらに、遮光装置１は、退避位置において、第２光源ユニット１０４から照射される透過照明光を遮ることがなく、透過照明観察を阻害しない。従って、遮光装置１は、操作性を損なうことなく、外乱光を遮光する倒立顕微鏡用遮光装置である。
【００３４】
また、第２光源ユニット１０４の光源１０４ａは、蛍光体を有するため、落射蛍光照明光学系からの励起光が白色ＬＥＤの蛍光体を励起し、その蛍光が外乱光となる場合がある。しかしながら、顕微鏡１００では、遮光装置１が落射蛍光照明光学系からの励起光を遮光するため、光源１０４ａに起因する外乱光が生じることがない。
【００３５】
また、遮光装置１を用いることにより、透過照明観察から落射蛍光観察に切り替える際に、遮光板２の遮光部２ａを退避位置から遮光位置に移動させることで、透過照明光を遮ることができるため、第２光源ユニット１０４の電源を切ることなく観察方法の切り替えを行うことができる。
【００３６】
（変形例）
次に、実施の形態１の変形例に係る倒立顕微鏡である顕微鏡１００Ａについて説明する。図７は、実施の形態１の変形例に係る倒立顕微鏡の構成を示す模式図である。図７に示すように、顕微鏡１００Ａにおいて、遮光装置１Ａ以外の構成は実施の形態１の顕微鏡１００と同様の構成であるから、適宜説明を省略する。
【００３７】
図８は、図７に示す遮光装置の拡大図である。図８に示すように、遮光装置１Ａは、遮光板２Ａ以外は、実施の形態１の遮光装置１と同様の構成であるから、適宜説明を省略する。
【００３８】
遮光板２Ａは、遮光部２Ａａと、アーム部２Ａｂと、防眩板２Ａｃと、を有する。遮光部２Ａａは、対物レンズ１０６にこの対物レンズ１０６の開口角θ以下の角度で入射可能な全ての直接光を遮光する遮光位置に配置可能である。アーム部２Ａｂは、遮光部２ａと直交する方向に遮光部２ａの側方から延在する。防眩板２Ａｃは、遮光部２Ａａの外周に配置されるとともに観察者側に延在するように形成され、ＵＶ（Ｕｌｔｒａｖｉｏｌｅｔ）光を遮光する機能を有するとともに標本Ｓの視認性を保つため半透明部材からなることが好ましい。そして、防眩板２Ａｃは、落射蛍光観察時に標本ＳからのＵＶ散乱光が観察者の目に到達することを防止する。
【００３９】
以上説明したように、実施の形態１の変形例に係る顕微鏡１００Ａは、操作性を損なうことなく、外乱光を遮光する倒立顕微鏡である。
【００４０】
（実施の形態２）
次に、本発明の実施の形態２に係る倒立顕微鏡である顕微鏡１００Ｂについて説明する。図９は、本発明の実施の形態２に係る倒立顕微鏡の構成を示す模式図である。図９に示すように、顕微鏡１００Ｂにおいて、遮光装置１１及び保持部１１３以外の構成は実施の形態１の顕微鏡１００と同様の構成であるから、適宜説明を省略する。遮光装置１１は、第２光源ユニット１０４の下方に連設された保持部１１３に取り付けられる。
【００４１】
図１０は、図９に示す遮光装置の拡大図である。図１１は、図１０のＢ矢視図である。遮光装置１１は、顕微鏡１００Ｂの観察光軸Ｏに直交するように配置される遮光板１２と、遮光板１２を回転可能に保持する軸１３と、遮光板１２の位置決めを行うストッパ１４と、軸１３が取り付けられる板１５と、板１５が固定されるとともに顕微鏡１００Ｂの保持部１１３に固定可能な筒１６と、筒１６を顕微鏡１００Ｂの保持部１１３に固定するつまみ１７及びつまみ１８と、を備える。
【００４２】
遮光板１２は、一部に切欠が形成された円盤状をなし、円盤の主面が顕微鏡１００Ｂの観察光軸Ｏに直交するように配置される。また、遮光板１２は、後述する遮光板１２を観察光軸Ｏから挿抜する操作時に持ち手となる突起部１２ａを有する。
【００４３】
軸１３は、板１５に取り付けられ、遮光板１２を回転可能に保持する。軸１３の外周に挿着され、遮光板１２と板１５との間に配置される不図示の重さ出しは、遮光板１２を動かす際に適度な摺動力量を発生させる。重さ出しは、例えば皿バネと樹脂ワッシャーとで構成される。
【００４４】
ストッパ１４は、図１１に示すように遮光板１２と当接して遮光板１２の可動範囲を規制する。
【００４５】
板１５は、筒１６に固定され、図１１に示す状態において、遮光板１２の切欠を覆う。そして、遮光板１２と板１５とは、円盤状をなす遮光部として、対物レンズ１０６にこの対物レンズ１０６の開口角θ以下の角度で入射可能な全ての直接光を遮光する遮光位置に配置可能である。
【００４６】
筒１６の内径は、保持部１１３の外径と略等しい。そして、筒１６には、保持部１１３が挿入される。
【００４７】
つまみ１７及びつまみ１８は、筒１６に形成されたネジ穴に螺合され、筒１６を筒１６に挿入された保持部１１３に固定する。つまみ１７及びつまみ１８の保持部１１３への固定位置を変更することにより、顕微鏡１００Ｂの観察光軸Ｏに沿った方向の遮光部の位置を変更することができる。遮光部は、遮光部が移動可能な範囲の少なくとも一部で、対物レンズ１０６にこの対物レンズ１０６の開口角θ以下の角度で入射する全ての直接光を遮光する。
【００４８】
次に、遮光装置１１の遮光板１２を顕微鏡１００Ｂの観察光軸Ｏから退避させる動作について説明する。まず、図１０及び図１１において、遮光板１２は、対物レンズ１０６にこの対物レンズ１０６の開口角θ以下の角度で入射可能な全ての直接光を遮光する遮光位置にある。
【００４９】
図１２、図１３は、図１０、図１１において、それぞれ遮光板を回転させた様子を表す図である。遮光位置にある遮光板１２の突起部１２ａを持ち、図１２及び図１３の矢印に沿った方向の力を加えると、遮光板１２が軸１３を中心に回転する。そして、遮光板１２が図１２及び図１３の位置まで回転すると、遮光板１２とストッパ１４とが当接し、遮光板１２の移動が規制される。このとき、遮光板１２は、遮光板１２の全体が第２光源ユニット１０４から照射される透過照明光が通過する領域の外側まで退避する退避位置にある。
【００５０】
以上説明したように、実施の形態２に係る顕微鏡１００Ｂにおける遮光装置１１では、遮光板１２は、遮光板１２が遮光位置に配置された状態において、対物レンズ１０６にこの対物レンズ１０６の開口角θ以下の角度で入射可能な全ての直接光を遮光する。その結果、遮光板１２は、透過照明光学系に起因する外乱光が発生することを防止するとともに、それ以外の外乱光が対物レンズ１０６に入射することも防止する。従って、顕微鏡１００Ｂは、操作性を損なうことなく、外乱光を遮光する倒立顕微鏡用遮光装置である。
【００５１】
さらなる効果や変形例は、当業者によって容易に導き出すことができる。よって、本発明のより広範な態様は、以上のように表わしかつ記述した特定の詳細及び代表的な実施形態に限定されるものではない。従って、添付のクレーム及びその均等物によって定義される総括的な発明の概念の精神又は範囲から逸脱することなく、様々な変更が可能である。
【符号の説明】
【００５２】
１、１Ａ、１１  遮光装置
２、２Ａ、１２  遮光板
２ａ、２Ａａ  遮光部
２ｂ、２Ａｂ  アーム部
２ｂａ、２ｂｂ  クリック溝
２ｃ、１２ａ  突起部
２Ａｃ  防眩板
３、１３  軸
４  ホルダ
５  ボールプランジャー
５ａ  ボール
６  ガイド
６ａ  ネジ
６ｂ、１４  ストッパ
６ｃ  孔
７、１７、１８  つまみ
１５  板
１６  筒
１００、１００Ａ、１００Ｂ  顕微鏡
１０１  顕微鏡本体
１０２  ステージ
１０３  第１光源ユニット
１０３ａ、１０４ａ  光源
１０４  第２光源ユニット
１０４ｂ  コレクタレンズ
１０４ｃ  コンデンサレンズ
１０５  アーム
１０６  対物レンズ
１０７  レボルバ
１０８  焦準ハンドル
１０９  ミラーユニット
１０９ａ  励起フィルタ
１０９ｂ  ダイクロイックミラー
１０９ｃ  バリアフィルタ
１１０  ミラー
１１１  接眼部
１１２  撮像部
１１３  保持部
Ｏ  観察光軸
Ｒ  半径
ｒ  口径半径
Ｓ  標本
ｓ  距離
θ  開口角
【図１】
0006605269.tif 000002
【図２】
0006605269.tif 000003
【図３】
0006605269.tif 000004
【図４】
0006605269.tif 000005
【図５】
0006605269.tif 000006
【図６】
0006605269.tif 000007
【図７】
0006605269.tif 000008
【図８】
0006605269.tif 000009
【図９】
0006605269.tif 000010
【図１０】
0006605269.tif 000011
【図１１】
0006605269.tif 000012
【図１２】
0006605269.tif 000013
【図１３】
0006605269.tif 000014